(57)【特許請求の範囲】
【請求項１】
画像形成装置本体と、
一端部および他端部を有し前記画像形成装置本体に対して着脱され内部にトナーが収容された収容容器であって、当該一端部側から当該画像形成装置本体へ挿入された当該収容容器が引き抜かれる際に予め定められた移動経路を移動し、当該収容容器の引き抜きが終了した後、当該収容容器の予め定められた箇所を覆う覆い部材と、当該収容容器の当該他端部側に取り付けられた取り付け部材と、当該取り付け部材の一部により構成され当該他端部側から挿入された当該収容容器が引き抜かれる際に当該予め定められた移動経路を移動する経路上移動部位と、を有した収容容器と、
前記画像形成装置本体側に設けられ、前記予め定められた移動経路上に位置し、前記一端部側から当該画像形成装置本体へ挿入された前記収容容器が引き抜かれる際に当該収容容器と供に移動する前記覆い部材の当該移動を規制し、当該収容容器に対して当該覆い部材を相対的に移動させることで、前記予め定められた箇所と対峙する位置まで当該覆い部材を移動させる移動部と、
を備え、
前記収容容器には、前記予め定められた移動経路上に位置する前記移動部を当該予め定められた移動経路上から退避させる退避手段が設けられ、
前記退避手段は、前記他端部側から前記画像形成装置本体へ挿入された前記収容容器が引き抜かれる際の引き抜き方向において、前記経路上移動部位よりも下流側に配置され、
前記他端部側から前記画像形成装置本体へ挿入された前記収容容器が引き抜かれる際に、当該収容容器に設けられた前記退避手段によって、前記引き抜き方向と交差する方向に向けて前記移動部が押圧されて、前記予め定められた移動経路上から当該移動部が退避し、当該移動部と前記経路上移動部位との接触が防止されることを特徴とする画像形成装置。
【請求項２】
前記退避手段は、前記他端部側から挿入された前記収容容器が引き抜かれる際に、筒状に形成された当該収容容器の外面から突出した突起を前記移動部に接触させ当該移動部の前記退避を行うことを特徴とする請求項１記載の画像形成装置。
【請求項３】
前記突起のうち前記移動部と接触する部位には、前記一端部側から前記他端部側に向かう方向に進むに従い前記収容容器の前記外面から離れるように形成された斜面が形成されていることを特徴とする請求項２記載の画像形成装置。
【請求項４】
前記収容容器には、当該収容容器の軸方向に沿った溝が形成され、
前記突起は、前記収容容器に形成された前記溝の内部に設けられていることを特徴とする請求項２又は３に記載の画像形成装置。
【請求項５】
前記予め定められた移動経路を移動する前記経路上移動部位は、前記収容容器の前記他端部側に被せられ前記一端部側から挿入された当該収容容器が引き抜かれる際にユーザにより操作される操作部材の一部であることを特徴とする請求項１乃至４の何れかに記載の画像形成装置。
【請求項６】
一端部および他端部を有し画像形成装置に対して着脱され内部にトナーが収容されたトナー収容容器であって、
前記一端部側から前記画像形成装置に挿入された前記トナー収容容器が当該画像形成装置から引き抜かれる際に当該トナー収容容器に付随して予め定められた移動経路を移動するとともに、当該画像形成装置に設けられた突出部であって当該予め定められた移動経路上に突出した当該突出部に接触することで当該移動が規制され、当該トナー収容容器に対する相対移動を行い、当該トナー収容容器の特定箇所を覆う覆い部材と、
前記トナー収容容器の前記他端部側に取り付けられた取り付け部材と、
前記取り付け部材の一部により構成され、前記他端部側から前記画像形成装置に挿入された前記トナー収容容器が当該画像形成装置から引き抜かれる際に前記予め定められた移動経路を移動する経路上移動部位と、
前記他端部側から前記画像形成装置に挿入された前記トナー収容容器が当該画像形成装置から引き抜かれる際の引き抜き方向において、前記経路上移動部位よりも下流側に位置し、当該他端部側から挿入された当該トナー収容容器が引き抜かれる際に、当該引き抜き方向と交差する方向に向けて前記突出部を押圧して、前記予め定められた移動経路上に突出した当該突出部を当該予め定められた移動経路上から退避させ、当該経路上移動部位と当該突出部との接触を防止する退避部と、
を含むトナー収容容器。
【請求項７】
前記退避部は、前記トナー収容容器が引き抜かれる方向に対して傾斜した斜面を有し、前記他端部側から前記画像形成装置に挿入された当該トナー収容容器が当該画像形成装置から引き抜かれる際に前記予め定められた移動経路を移動するとともに当該斜面を前記突出部に接触させて前記交差する方向に向けて当該突出部を押圧し、当該突出部を当該予め定められた移動経路上から退避させることを特徴とする請求項６記載のトナー収容容器。
【請求項８】
前記退避部は、前記トナー収容容器の外面から突出して設けられるとともに板状に形成され、且つ、当該トナー収容容器に形成された凹部の内部に設けられていることを特徴とする請求項６又は７に記載のトナー収容容器。
【発明の詳細な説明】
【技術分野】
【０００１】
本発明は、画像形成装置およびトナー収容容器に関する。
【背景技術】
【０００２】
トナーカートリッジの離脱動作に伴って補給口シャッタが閉塞位置に移動してから、カートリッジ側係合部材との係合が解除されるシャッタ側係合部材を備えたトナー補給装置が提案されている（例えば、特許文献１参照）。
【先行技術文献】
【特許文献】
【０００３】
【特許文献１】特開２００５−１３４４５２号公報
【発明の概要】
【発明が解決しようとする課題】
【０００４】
本発明の目的は、誤った向きで挿入されたトナー収容容器が引き抜かれる際に発生しうる部材の破損などを抑制することにある。
【課題を解決するための手段】
【０００５】
請求項１に記載の発明は、画像形成装置本体と、一端部および他端部を有し前記画像形成装置本体に対して着脱され内部にトナーが収容された収容容器であって、当該一端部側から当該画像形成装置本体へ挿入された当該収容容器が引き抜かれる際に予め定められた移動経路を移動し、当該収容容器の引き抜きが終了した後、当該収容容器の予め定められた箇所を覆う覆い部材と、当該収容容器の当該他端部側に取り付けられた取り付け部材と、当該取り付け部材の一部により構成され当該他端部側から挿入された当該収容容器が引き抜かれる際に当該予め定められた移動経路を移動する経路上移動部位と、を有した収容容器と、前記画像形成装置本体側に設けられ、前記予め定められた移動経路上に位置し、前記一端部側から当該画像形成装置本体へ挿入された前記収容容器が引き抜かれる際に当該収容容器と供に移動する前記覆い部材の当該移動を規制し、当該収容容器に対して当該覆い部材を相対的に移動させることで、前記予め定められた箇所と対峙する位置まで当該覆い部材を移動させる移動部と、を備え、前記収容容器には、前記予め定められた移動経路上に位置する前記移動部を当該予め定められた移動経路上から退避させる退避手段が設けられ、前記退避手段は、前記他端部側から前記画像形成装置本体へ挿入された前記収容容器が引き抜かれる際の引き抜き方向において、前記経路上移動部位よりも下流側に配置され、前記他端部側から前記画像形成装置本体へ挿入された前記収容容器が引き抜かれる際に、当該収容容器に設けられた前記退避手段によって、前記引き抜き方向と交差する方向に向けて前記移動部が押圧されて、前記予め定められた移動経路上から当該移動部が退避し、当該移動部と前記経路上移動部位との接触が防止されることを特徴とする画像形成装置である。
請求項２に記載の発明は、前記退避手段は、前記他端部側から挿入された前記収容容器が引き抜かれる際に、筒状に形成された当該収容容器の外面から突出した突起を前記移動部に接触させ当該移動部の前記退避を行うことを特徴とする請求項１記載の画像形成装置である。
請求項３に記載の発明は、前記突起のうち前記移動部と接触する部位には、前記一端部側から前記他端部側に向かう方向に進むに従い前記収容容器の前記外面から離れるように形成された斜面が形成されていることを特徴とする請求項２記載の画像形成装置である。
請求項４に記載の発明は、前記収容容器には、当該収容容器の軸方向に沿った溝が形成され、前記突起は、前記収容容器に形成された前記溝の内部に設けられていることを特徴とする請求項２又は３に記載の画像形成装置である。
請求項５に記載の発明は、前記予め定められた移動経路を移動する前記経路上移動部位は、前記収容容器の前記他端部側に被せられ前記一端部側から挿入された当該収容容器が引き抜かれる際にユーザにより操作される操作部材の一部であることを特徴とする請求項１乃至４の何れかに記載の画像形成装置である。
請求項６に記載の発明は、一端部および他端部を有し画像形成装置に対して着脱され内部にトナーが収容されたトナー収容容器であって、前記一端部側から前記画像形成装置に挿入された前記トナー収容容器が当該画像形成装置から引き抜かれる際に当該トナー収容容器に付随して予め定められた移動経路を移動するとともに、当該画像形成装置に設けられた突出部であって当該予め定められた移動経路上に突出した当該突出部に接触することで当該移動が規制され、当該トナー収容容器に対する相対移動を行い、当該トナー収容容器の特定箇所を覆う覆い部材と、前記トナー収容容器の前記他端部側に取り付けられた取り付け部材と、前記取り付け部材の一部により構成され、前記他端部側から前記画像形成装置に挿入された前記トナー収容容器が当該画像形成装置から引き抜かれる際に前記予め定められた移動経路を移動する経路上移動部位と、前記他端部側から前記画像形成装置に挿入された前記トナー収容容器が当該画像形成装置から引き抜かれる際の引き抜き方向において、前記経路上移動部位よりも下流側に位置し、当該他端部側から挿入された当該トナー収容容器が引き抜かれる際に、当該引き抜き方向と交差する方向に向けて前記突出部を押圧して、前記予め定められた移動経路上に突出した当該突出部を当該予め定められた移動経路上から退避させ、当該経路上移動部位と当該突出部との接触を防止する退避部と、を含むトナー収容容器である。
請求項７に記載の発明は、前記退避部は、前記トナー収容容器が引き抜かれる方向に対して傾斜した斜面を有し、前記他端部側から前記画像形成装置に挿入された当該トナー収容容器が当該画像形成装置から引き抜かれる際に前記予め定められた移動経路を移動するとともに当該斜面を前記突出部に接触させて前記交差する方向に向けて当該突出部を押圧し、当該突出部を当該予め定められた移動経路上から退避させることを特徴とする請求項６記載のトナー収容容器である。
請求項８に記載の発明は、前記退避部は、前記トナー収容容器の外面から突出して設けられるとともに板状に形成され、且つ、当該トナー収容容器に形成された凹部の内部に設けられていることを特徴とする請求項６又は７に記載のトナー収容容器である。
【発明の効果】
【０００６】
請求項１の発明によれば、本発明を採用しない場合に比べ、誤った向きで挿入された収容容器が引き抜かれる際に発生しうる部材の破損などを抑制することができる。
請求項２の発明によれば、本発明を採用しない場合に比べ、トナー収容部に対して覆い部材を相対的に移動させる移動部の退避を簡易に行うことができる。
請求項３の発明によれば、本発明を採用しない場合に比べ、移動部の退避をより円滑に行うことが可能となる。
請求項４の発明によれば、本発明を採用しない場合に比べ、突起の破損を抑制可能となる。
請求項５の発明によれば、ユーザにより操作される操作部材の移動経路上に移動部が位置する場合であっても移動部の破損などを抑制可能となる。
【０００７】
請求項６の発明によれば、本発明を採用しない場合に比べ、誤った向きで挿入されたトナー収容容器が引き抜かれる際に発生しうる部材の破損などを抑制することができる。
請求項７の発明によれば、本発明を採用しない場合に比べ、覆い部材の移動を規制する突出部の退避をより簡易に行うことができる。
請求項８の発明によれば、本発明を採用しない場合に比べ、板状に形成された退避部の破損などを抑制可能となる。
【図面の簡単な説明】
【０００８】
【図１】画像形成装置の全体構成を示した図であり、所謂タンデム型のデジタルカラープリンタを示している。
【図２】画像形成ユニット等を示した図である。
【図３】トナーカートリッジおよび供給機構を示した斜視図である。
【図４】トナーカートリッジを説明するための図である。
【図５】トナーカートリッジを先端側から眺めた場合の図である。
【図６】第１シャッタの斜視図である。
【図７】画像形成装置への挿入が開始された直後のトナーカートリッジの状態を示した図である。
【図８】トナーカートリッジの挿入途中におけるトナーカートリッジの状態を示した図である。
【図９】第１シャッタが後退した後におけるトナーカートリッジの状態をトナーカートリッジの先端部側から眺めた場合の図である。
【図１０】画像形成装置に対する挿入が完了した後のトナーカートリッジの状態を示した図である。
【図１１】第１シャッタが閉じられた状態におけるトナーカートリッジを底部側から眺めた場合の図である。
【図１２】第１シャッタが開けられた状態におけるトナーカートリッジを底部側から眺めた場合の図である。
【図１３】図１１のＸＩＩＩ−ＸＩＩＩ線における断面図である。
【図１４】収容部の斜視図である。
【図１５】収容部のうち第３平坦面の周辺を示した図である。
【図１６】図１５のＸＶＩ−ＸＶＩ線における断面図である。
【図１７】図１４のＸＶＩＩ−ＸＶＩＩ線における断面図である。
【図１８】トナーカートリッジの挿入が開始された直後の各部の状態を示した図である。
【図１９】トナーカートリッジの挿入途中における各部の状態を示した図である。
【図２０】トナーカートリッジの挿入が完了した後の各部の状態を示す図である。
【図２１】第２突起等の動作を説明するための図である。
【図２２】操作部が先頭となって挿入されたトナーカートリッジが引き抜かれる際の状態を示した図である。
【図２３】本実施形態におけるトナーカートリッジが引き抜かれる際の状態を示した図である。
【発明を実施するための形態】
【０００９】
以下、添付図面を参照して、本発明を実施するための形態について説明する。
図１は、画像形成装置１の全体構成を示した図であり、所謂タンデム型のデジタルカラープリンタを示している。図１に示す画像形成装置１は、各色の階調データに対応して画像形成を行う画像プロセス系１０、用紙Ｐを搬送する用紙搬送系４０、例えば図示しないパーソナルコンピュータ(ＰＣ)や原稿読み取り装置等に接続され受信した画像データに対して予め定められた画像処理を施す画像処理部（不図示）、各部（各装置）の動作を制御する制御部（不図示）などを備えている。
【００１０】
画像プロセス系１０は、水平方向に一定の間隔を置いて並列的に配置される、イエロー(Ｙ)、マゼンタ(Ｍ)、シアン(Ｃ)、黒(Ｋ)の４つの画像形成ユニット１１Ｙ,１１Ｍ,１１Ｃ,１１Ｋを備えている。また、画像形成ユニット１１Ｙ,１１Ｍ,１１Ｃ,１１Ｋの感光体ドラム１２に形成された各色のトナー像を中間転写ベルト２１上に多重転写させる転写ユニット２０、画像形成ユニット１１Ｙ,１１Ｍ,１１Ｃ,１１Ｋに対してレーザ光を照射するレーザ露光器３０を備えている。さらに、転写ユニット２０によって二次転写された画像を、熱および圧力を用いて用紙Ｐに定着させる定着器２９を備えている。更に、本実施形態における画像形成装置１には、画像形成装置１に対し着脱可能であり各色のトナーが収容されたトナーカートリッジ２００Ｙ，２００Ｍ，２００Ｃ，２００Ｋ（収容容器の一例）が設けられている。また、トナーカートリッジ２００Ｙ，２００Ｍ，２００Ｃ，２００Ｋの各々に収容されたトナーを画像形成ユニット１１Ｙ,１１Ｍ,１１Ｃ,１１Ｋの各々に設けられた現像器１６Ｙ,１６Ｍ，１６Ｃ，１６Ｋ（後述）に供給する供給機構１００が設けられている。
【００１１】
転写ユニット２０は、中間転写ベルト２１を駆動するドライブローラ２２、中間転写ベルト２１に一定のテンションを付与するテンションローラ２３、重畳された各色のトナー像を用紙Ｐに二次転写するためのバックアップローラ２４、中間転写ベルト２１上に存在する残留トナー等を除去するベルトクリーナ２５を備えている。中間転写ベルト２１は、ドライブローラ２２、テンションローラ２３およびバックアップローラ２４との間に一定のテンションで掛け回されており、ドライブローラ２２によって図中矢印方向に予め定められた速度で循環駆動される。
【００１２】
レーザ露光器３０は、図示しないレーザダイオード、変調器の他、レーザダイオードから出射されたレーザ光(ＬＢ-Ｙ,ＬＢ-Ｍ,ＬＢ-Ｃ,ＬＢ-Ｋ)を偏向走査するポリゴンミラー３１を備えている。用紙搬送系４０は、画像が記録される用紙Ｐを積載する積載部４１、積載部４１から用紙Ｐを取り上げて供給する供給ローラ４２、供給ローラ４２から供給された用紙Ｐを１枚ずつ分離して搬送するフィードローラ４３、フィードローラ４３により１枚ずつに分離された用紙Ｐを画像転写部に向けて搬送する搬送路４４を備えている。また、用紙搬送系４０は、搬送路４４を介して搬送された用紙Ｐを、二次転写位置に向けてタイミングを合わせて搬送するレジストローラ４５、二次転写位置に設けられバックアップローラ２４に圧接して用紙Ｐ上に画像を二次転写する二次転写ローラ４６を備えている。用紙搬送系４０は、更に、定着器２９によってトナー画像が定着された用紙Ｐを機外に排出する排出ローラ４７、排出ローラ４７によって排出された用紙Ｐを積載する積載部４８を備えている。また本実施形態では、定着器２９によって定着された用紙Ｐを反転させて両面記録を可能とする両面用搬送ユニット４９が設けられている。
【００１３】
次に、画像プロセス系１０における画像形成ユニット１１Ｙ,１１Ｍ,１１Ｃ,１１Ｋについて詳述する。図２は、画像形成ユニット１１Ｙ,１１Ｍ,１１Ｃ,１１Ｋ等を示した図である。
画像形成ユニット１１Ｙ,１１Ｍ,１１Ｃ,１１Ｋは、例えばイエローの画像形成ユニット１１Ｙを一例に説明すると、感光体ドラム１２Ｙ、感光体ドラム１２Ｙを帯電する帯電装置１３Ｙ、レーザ露光器３０からのレーザ光ＬＢ-Ｙによって感光体ドラム１２Ｙ上に形成された静電潜像を現像する現像器１６Ｙを備えている。なお帯電装置１３Ｙは、感光体ドラム１２Ｙに接触配置された帯電ローラ１４Ｙ、帯電ローラ１４Ｙをクリーニングするクリーニングローラ１５Ｙとから主要部が構成されている。
【００１４】
また画像形成ユニット１１Ｙには、中間転写ベルト２１を挟んで感光体ドラム１２Ｙに対向して設けられ感光体ドラム１２Ｙ上に現像されたトナー像を中間転写ベルト２１上に転写する一次転写ローラ１７Ｙが設けられている。さらに、感光体ドラム１２Ｙに接触配置されたクリーニングブレード１９Ｙを用いて感光体ドラム１２Ｙ上に残った残留トナーなどを除去するドラムクリーナ１８Ｙが設けられている。なお、他の画像形成ユニット１１Ｍ,１１Ｃ,１１Ｋも、イエローの画像形成ユニット１１Ｙと同じ構成を有している。
【００１５】
次に、画像形成装置１の基本的な画像形成動作について説明する。例えば原稿読み取り装置（不図示）によって読み取られた原稿の色材反射光像や、図示しないパーソナルコンピュータ等にて形成された色材画像データは、例えばＲ(赤)、Ｇ(緑)、Ｂ(青)の各８ビットの反射率データとして画像処理部（不図示）に入力される。画像処理部では、入力された反射率データに対して、シェーディング補正、位置ズレ補正、明度/色空間変換、ガンマ補正、枠消しや色編集、移動編集等の各種画像編集等の予め定められた画像処理が施される。画像処理が施された画像データは、イエロー(Ｙ)、マゼンタ(Ｍ)、シアン(Ｃ)、黒(Ｋ)の４色の色材階調データに変換され、レーザ露光器３０に出力される。
【００１６】
レーザ露光器３０では、入力された色材階調データに応じて、レーザダイオード(不図示)から出射されたレーザ光(ＬＢ-Ｙ,ＬＢ-Ｍ,ＬＢ-Ｃ,ＬＢ-Ｋ)を、ｆ−θレンズ(不図示)を介してポリゴンミラー３１に出射している。ポリゴンミラー３１では、入射されたレーザ光を各色の階調データに応じて変調し、偏向走査して、図示しない結像レンズおよび複数枚のミラーを介して画像形成ユニット１１Ｙ,１１Ｍ,１１Ｃ,１１Ｋにおける感光体ドラム１２に照射している。画像形成ユニット１１Ｙ,１１Ｍ,１１Ｃ,１１Ｋにおける感光体ドラム１２では、帯電された表面が走査露光され、静電潜像が形成される。形成された静電潜像は、各々の画像形成ユニット１１Ｙ,１１Ｍ,１１Ｃ,１１Ｋにて、イエロー(Ｙ)、マゼンタ(Ｍ)、シアン(Ｃ)、黒(Ｋ)の各色のトナー像として現像される。そして、画像形成ユニット１１Ｙ,１１Ｍ,１１Ｃ,１１Ｋの感光体ドラム１２上に形成されたトナー像は、中間転写ベルト２１上に多重転写される。
【００１７】
一方、用紙搬送系４０では、画像形成のタイミングに合わせて供給ローラ４２が回転し、積載部４１から用紙Ｐが供給される。そして、フィードローラ４３により１枚ずつ分離された用紙Ｐは、搬送路４４を経てレジストローラ４５に搬送され、一旦、停止される。その後、トナー像が形成された中間転写ベルト２１の移動タイミングに合わせてレジストローラ４５が回転し、用紙Ｐは、バックアップローラ２４および二次転写ローラ４６によって形成される二次転写位置に搬送される。そして、二次転写位置において、用紙Ｐには、圧接力および電界を用いて、４色が多重されているトナー像が副走査方向に順次、転写される。その後、トナー像が転写された用紙Ｐは、定着器２９にて定着処理を受けた後、排出ローラ４７によって積載部４８に積載される。
【００１８】
次いで、供給機構１００について詳細に説明する。
図３は、トナーカートリッジ２００Ｙ，２００Ｍ，２００Ｃ，２００Ｋおよび供給機構１００を示した斜視図である。
本実施形態における供給機構１００には、トナーカートリッジ２００Ｙ，２００Ｍ，２００Ｃ，２００Ｋの各々に対応して設けられトナーカートリッジ２００Ｙ，２００Ｍ，２００Ｃ，２００Ｋの各々を収容する収容部５００が設けられている。また、収容部５００に収容されたトナーカートリッジ２００Ｙ，２００Ｍ，２００Ｃ，２００Ｋから排出されるトナーを現像器１６Ｙ,１６Ｍ，１６Ｃ，１６Ｋに搬送するトナー搬送部８００が設けられている。ここで本実施形態では、トナーカートリッジ２００Ｙ，２００Ｍ，２００Ｃ，２００Ｋが、画像形成装置１のフロント側からリア側に向けて挿入される構成となっている。また、画像形成装置１のフロント側に引っ張ることでトナーカートリッジ２００Ｙ，２００Ｍ，２００Ｃ，２００Ｋを取り外せる構成となっている。
【００１９】
図４は、トナーカートリッジ２００Ｙ，２００Ｍ，２００Ｃ，２００Ｋを説明するための図である。なおトナーカートリッジ２００Ｙ，２００Ｍ，２００Ｃ，２００Ｋの各々は同様に構成されており、以下の説明では、トナーカートリッジ２００Ｙを一例に説明する。同図に示すように、トナーカートリッジ２００Ｙは、円筒状に形成されるとともに予め定められた長さを有して形成されている。より具体的には、画像形成装置１に対してトナーカートリッジ２００Ｙが着脱される際にユーザにより操作される操作部２００と、一端部および他端部を有し且つ筒状に形成され内部にトナーを収容した本体部３００（トナー収容部の一例）とを備えている。
【００２０】
操作部（操作部材）２００は、筒状に形成されるとともに一方側が閉鎖されている。また操作部２００は、本体部３００の一端部側に取り付けられるとともにこの一端部に被せられた状態で設けられている。具体的に説明すると、操作部２００は、円筒状に形成された基体２３０と、基体２３０の外周面から基体２３０の径方向に突出した第１突出部２１０と、基体２３０の端面からトナーカートリッジ２００Ｙの軸方向に突出した第２突出部２２０とを備えている。ここで第２突出部２２０の内部にはユーザの指が挿入可能な間隙（不図示）が形成されており、操作部２００はトナーカートリッジ２００Ｙの引き抜きが行いやすい形状となっている。
【００２１】
本体部３００は、内部にトナーを収容した円筒状の基体３３０、基体３３０の外周面から突出して設けられるとともにトナーカートリッジ２００Ｙの軸方向に沿って設けられ且つ収容部５００（図３参照）に接触してトナーカートリッジ２００Ｙの周方向への回転を規制する回転規制部３４０を備えている。また、トナーカートリッジ２００Ｙの軸方向に沿って移動可能に設けられるとともに後述する第２シャッタ３２０に対峙しこの第２シャッタ３２０を覆う第１シャッタ３１０（覆い部材の一例）、第１シャッタ３１０および後述する第２シャッタ３２０が移動する際にこれらのシャッタを案内するシャッタガイド部３５０を備えている。シャッタガイド部３５０は、基体３３０の外周面から基体３３０の径方向に突出して設けられるとともにトナーカートリッジ２００Ｙの軸方向に沿って設けられている。また、シャッタガイド部３５０は、直方体状に形成されるとともに両側面（一方の側面は不図示）に、トナーカートリッジ２００Ｙの軸方向に沿って設けられ移動する第１シャッタ３１０を案内する第１ガイド溝３５１を有している。
【００２２】
図５は、トナーカートリッジ２００Ｙを先端側から眺めた場合の図である。より詳細には、図４の矢印Ａ方向から眺めた場合の図である。
図５（Ａ）に示すように、トナーカートリッジ２００Ｙにはメモリ３０１が装着されている。このメモリ３０１には、例えば、トナーの使用状況に関する情報、トナーの色情報、トナーの収容量に関する情報、トナーの製造に係る情報等が格納されている。またトナーカートリッジ２００Ｙには、画像形成装置１に装着された際に画像形成装置１側に設けられた被連結部材８１０（図１７参照）に連結され画像形成装置１側から駆動力を受ける連結部材３０２が設けられている。本実施形態では、この連結部材３０２を介して内部の搬送部材（後述）に駆動力が伝達され、この搬送部材が駆動されることにより内部のトナーがトナー排出口（本図では不図示）に搬送される。
【００２３】
ここで回転規制部３４０について詳細に説明する。本実施形態では、トナーカートリッジ２００Ｙの周方向における異なる位置に回転規制部３４０が２つ設けられている。そして、一方の回転規制部３４０は基体３３０の一方側に設けられ、他方の回転規制部３４０は基体３３０の他方側、付言すると基体３３０を挟み上記一方の回転規制部３４０とは反対側に設けられている。ここで各々の回転規制部３４０は、その断面形状がＴ字状に形成されている。
【００２４】
より詳細に説明すると回転規制部３４０は、トナーカートリッジ２００Ｙの軸方向に沿って設けられるとともに基体３３０の外周面から基体３３０の径方向に向かって突出した基部３４３を備えている。また各々の回転規制部３４０は、基部３４３と直交する関係（交差する関係）で配置されるとともに基部３４３の先端部から下方に向かって突出した第１突出部３４１を備えている。また、回転規制部３４０の各々は、基部３４３と直交する関係（交差する関係）で配置されるとともに基部３４３の先端部から上方に向かって突出した第２突出部３４２を備えている。
【００２５】
さらに説明すると、各々の回転規制部３４０は、基部３４３の先端部から一方向に向かって延びる第１突出部３４１と、基部３４３の先端部からこの一方向とは反対方向に向かって延びる第２突出部３４２を有している。さらに説明すると、各々の回転規制部３４０は、基体３３０の外周面に対する接線が延びる方向に沿って配置されるとともに基体３３０との間に間隙を有して配置されこの基体３３０の外周面に対向配置される第１突出部３４１を備えている。また、同じく基体３３０の外周面に対する接線が延びる方向に沿って配置されるとともに基体３３０との間に間隙を有して配置されこの基体３３０の外周面に対向配置される第２突出部３４２を備えている。なお第１突出部３４１および第２突出部３４２は、基部３４３と同様に、トナーカートリッジ２００Ｙの軸方向に沿って設けられている。ここで図５（Ａ）では操作部２００も表示しており（破線参照）、この操作部２００は、その外径形状が本体部３００の外径形状に倣うようになっている。
【００２６】
また回転規制部３４０は、トナーカートリッジ２００Ｙの先端部に位置する部位の断面形状が上記のようにＴ字状に形成されている。その一方で、トナーカートリッジ２００Ｙの長手方向における中央部や後端部に位置する部位の断面形状はＬ字状に形成されている。ここで図５（Ｂ）は、図４のＶＢ１−ＶＢ１線およびＶＢ２−ＶＢ２線における回転規制部３４０の断面形状を示しており、トナーカートリッジ２００Ｙの長手方向における中央部および後端部では同図に示すように断面形状がＬ字状に形成されている。より具体的には、上記第１突出部３４１が設けられておらず、基部３４３および第２突出部３４２により回転規制部３４０が構成されている。
【００２７】
図６は、第１シャッタ３１０の斜視図である。
同図に示すように第１シャッタ３１０は、箱状に形成されるとともに上部（本体部３００の基体３３０（図４参照）と対向する側）が開放された構造となっている。より具体的に説明すると、第１シャッタ３１０は、平板状且つ矩形状に形成され本体部３００の基体３３０に対向配置される対向部３１４と、対向部３１４の長辺から基体３３０に向かって延びる第１側壁３１１と、対向部３１４のもう一つの長辺から基体３３０に向かって延びる第２側壁３１２と、対向部３１４の２つの短辺のうちトナーカートリッジ２００Ｙの先端部側に位置する短辺から基体３３０に向かって延びる第３側壁３１３とを備えている。
【００２８】
また、第１シャッタ３１０は、第１側壁３１１の内側の面および第２側壁３１２の内側の面に、互いに対向配置された一対の第１突起３１５Ａ、一対の第２突起３１５Ｂ、一対の第３突起３１５Ｃを備えている。ここで本実施形態では、第２突起３１５Ｂの直径が第１突起３１５Ａの直径よりも小さくなっている。また第１シャッタ３１０は、第１側壁３１１および第２側壁３１２の各々に、弾性を有し図中上下方向に揺動可能な揺動片３１５Ｄ、揺動片３１５Ｄの先端に設けられ第１シャッタ３１０の外方に向かう第４突起３１５Ｅを備えている。
【００２９】
トナーカートリッジ２００Ｙについて更に説明する。
図７は、画像形成装置１への挿入が開始された直後のトナーカートリッジ２００Ｙの状態を示した図である。また図８は、トナーカートリッジ２００Ｙの挿入途中におけるトナーカートリッジ２００Ｙの状態を示した図である。
【００３０】
上記では説明を省略したが、図７に示すように、トナーカートリッジ２００Ｙは、基体３３０の下部に、第１シャッタ３１０に設けられた第４突起３１５Ｅに突き当たり第１シャッタ３１０の後退を規制する規制用突起３０３を有している。トナーカートリッジ２００Ｙが画像形成装置１から取り外されている状態では、第４突起３１５Ｅがこの規制用突起３０３に突き当たり第１シャッタ３１０の後退が規制された状態となる。またトナーカートリッジ２００Ｙが画像形成装置１から取り外されている状態では、第１シャッタ３１０に設けられた第３突起３１５Ｃ（図６参照）が第２シャッタ３２０の上縁部３２１に突き当たり（第３突起３１５Ｃが上縁部３２１と基体３３０の外周面との間に位置し）、基体３３０から離れる方向への第１シャッタ３１０の移動が規制されている。
【００３１】
そして本実施形態では、トナーカートリッジ２００Ｙが画像形成装置１に挿入されると、基体３３０から離れる方向（図中右下方向）且つ第１シャッタ３１０が後退する方向（図中左下方向）に、第４突起３１５Ｅが収容部５００（図３参照）により押圧される（詳細は後述）。これにより第４突起３１５Ｅと規制用突起３０３との上記突き当たりが解除され、第１シャッタ３１０は予め定められた位置まで後退する。その後、第２シャッタ３２０の上縁部３２１と第３突起３１５Ｃとの上記突き当たりも解除され、また、第１ガイド溝３５１内に設けられた斜面（不図示）に第２突起３１５Ｂ（図６参照）が突き当たり、第１シャッタ３１０は先端部側が垂れ下がるように変位する。
【００３２】
その後、トナーカートリッジ２００Ｙが画像形成装置１の内部方向にさらに進行するが、第１シャッタ３１０は収容部５００により移動が規制され収容部５００の予め定められた位置に留まる。これにより図８に示すように、トナーカートリッジ２００Ｙの先端部側に設けられた第２シャッタ３２０が露出するようになる。なお、第２シャッタ３２０の上縁部３２１と第３突起３１５Ｃとの突き当たりが解除された後は、第２突起３１５Ｂ（図６参照）がシャッタガイド部３５０に設けられた第１ガイド溝３５１の内壁に突き当たる。これにより、第１シャッタ３１０の上記変位（垂れ下がり）が予め定められた位置にて停止する。
【００３３】
ここで図９は、第１シャッタ３１０が後退した後におけるトナーカートリッジ２００Ｙの状態をトナーカートリッジ２００Ｙの先端部側から眺めた場合の図である。本図を用いトナーカートリッジ２００Ｙの先端側の構成についてさらに説明する。
【００３４】
同図に示すように、基体３３０のうちトナーカートリッジ２００Ｙの先端部に位置する部位には、面削ぎ状の平坦面３３１が設けられている。また平坦面３３１には、この平坦面３３１から離れる方向に突出する突起３３２が設けられている。なお、この突起３３２は、シャッタガイド部３５０（図８参照）よりもトナーカートリッジ２００Ｙの先端部側に設けられている。また本実施形態におけるシャッタガイド部３５０は、基体３３０の外周面から基体３３０の径方向に突出するとともにトナーカートリッジ２００Ｙの軸方向に沿って設けられたガイド本体部３５２、ガイド本体部３５２の一方の側面から突出し且つトナーカートリッジ２００Ｙの軸方向に沿って延びる第１突起３５３を備えている。
【００３５】
またシャッタガイド部３５０は、ガイド本体部３５２の他方の側面から突出し且つトナーカートリッジ２００Ｙの軸方向に沿って延びる第２突起３５４を備えている。またガイド本体部３５２には、トナーカートリッジ２００Ｙの内部に収納されているトナーの排出に用いられる貫通孔３５５が形成されている。また本実施形態では、トナーが通過する貫通孔３０４Ａが中央部に形成され弾性を有し且つ矩形状に形成されたシール部材３０４がガイド本体部３５２の上面に貼付されている。なお、シール部材３０４は、ウレタンゴムや発泡ポリウレタンなどにより形成することができる。
【００３６】
第２シャッタ３２０は、平板状に形成されるとともにシール部材３０４に対向配置されシール部材３０４に形成された上記貫通孔３０４Ａを塞ぐ閉鎖部３２３と、閉鎖部３２３の幅方向における一方の端部から基体３３０に向かって延びる第１側部３２７と、閉鎖部３２３の他方の端部から基体３３０に向かって延びる第２側部３２２と、第１側部３２７に接続されるとともに閉鎖部３２３に対向配置される第１対向部３２４と、第２側部３２２に接続されるとともに閉鎖部３２３に対向配置される第２対向部３２５とを有している。そして本実施形態では、第１対向部３２４と閉鎖部３２３とにより第１突起３５３およびシール部材３０４を挟み込み、また、第２対向部３２５と閉鎖部３２３とにより第２突起３５４およびシール部材３０４を挟みこんでいる。これによりシール部材３０４が圧縮された状態となっている。
【００３７】
図１０は、画像形成装置１に対する挿入が完了した後のトナーカートリッジ２００Ｙの状態を示した図である。
図８に示した状態からトナーカートリッジ２００Ｙが更に挿入されると、第２シャッタ３２０が収容部５００（図３参照）の予め定められた部位に対して突き当たり、第２シャッタ３２０の移動が停止する。これにより、第２シャッタ３２０により閉鎖されていたシール部材３０４の貫通孔３０４Ａ（図９参照）が開放される。この結果、図１０に示すように、トナーカートリッジ２００Ｙの下部に、トナーが順次排出されるトナー排出口３０７が形成される。
【００３８】
なお、トナーカートリッジ２００Ｙが画像形成装置１から引き抜かれる際には、上記と逆の動作が実行される。即ち、トナーカートリッジ２００Ｙの本体部３００に対し第２シャッタ３２０が相対的に前進することでトナー排出口３０７が閉鎖される。また、第１シャッタ３１０が相対的に前進することで、第２シャッタ３２０が第１シャッタ３１０により覆われる。なお上記では説明を省略したが、第２シャッタ３２０には、図８に示すように、上縁部３２１に接続して設けられるとともにトナーカートリッジ２００Ｙの先端部方向に向かう従い基体３３０に接近する斜面３２６が形成されている。第１シャッタ３１０が前進する際には、第１シャッタ３１０に設けられた第３突起３１５Ｃ（図６参照）がこの斜面３２６を上る。これにより、第１シャッタ３１０の先端部が基体３３０に接近するとともに第２シャッタ３２０が第１シャッタ３１０により覆われる。
【００３９】
トナーカートリッジ２００Ｙについて更に説明する。
図１１は、第１シャッタ３１０が閉じられた状態におけるトナーカートリッジ２００Ｙを底部側から眺めた場合の図である。また図１２は、第１シャッタ３１０が開けられた状態におけるトナーカートリッジ２００Ｙを底部側から眺めた場合の図である。また図１３は、図１１のＸＩＩＩ−ＸＩＩＩ線における断面図である。
【００４０】
図１１に示すように、シャッタガイド部３５０には、トナーカートリッジ２００Ｙの軸方向に沿って形成された溝３５６（凹部の一例）が形成されている。またこの溝３５６の内部には、収容部５００（図３参照）側に設けられた第１突起（詳細は後述）を押圧しこの第１突起をトナーカートリッジ２００Ｙの移動経路上から退避させる第１退避部３５７Ａ、第２退避部３５７Ｂが設けられている。また図１２に示すように、溝３５６の内部には、収容部５００側に設けられた第２突起（詳細は後述）を押圧しこの第２突起をトナーカートリッジ２００Ｙの移動経路上から退避させる第３退避部３５７Ｃが設けられている。なお第１退避部３５７Ａ、第２退避部３５７Ｂ、および第３退避部３５７Ｃの各々は、薄板状（リブ状）の突起が複数設けられ且つこれらの突起が互いに平行に設けられることにより形成されている。
【００４１】
退避手段の一例としての第１退避部３５７Ａは、トナーカートリッジ２００Ｙのうち操作部２００が設けられた側に設けられている。またトナーカートリッジ２００Ｙを底部側から眺めた場合（図１１の状態）に、第１退避部３５７Ａは、操作部２００に隣接した状態で設けられている。
第２退避部３５７Ｂは、第１退避部３５７Ａと第３退避部３５７Ｃとの間に設けられている。また第２退避部３５７Ｂは、第１シャッタ３１０が閉じられた状態にてこの第１シャッタ３１０よりもトナーカートリッジ２００Ｙの後端部側に設けられている（図１１参照）。さらに第１シャッタ３１０が閉じられた状態にて、第２退避部３５７Ｂは第１シャッタ３１０に隣接した状態で設けられている（図１１参照）。
第３退避部３５７Ｃは、トナーカートリッジ２００Ｙの先端部側に設けられている。さらに第３退避部３５７Ｃは、第２シャッタ３２０が閉じられている状態にてこの第２シャッタ３２０よりもトナーカートリッジ２００Ｙの後端部側に設けられている（図１２参照）。さらにトナーカートリッジ２００Ｙを底部側から眺めた場合に、第３退避部３５７Ｃは第２シャッタ３２０に隣接した状態で設けられている（図１２参照）。
【００４２】
また第１退避部３５７Ａは、図１３に示すようにトナーカートリッジ２００Ｙの後端部側に向かうに従い基体３３０の外周面（外面）から離れるように形成された斜面（傾斜面）Ａ１を有している。付言すると、第１退避部３５７Ａはトナーカートリッジ２００Ｙの引き抜き方向に対して傾斜した斜面を有している。また第２退避部３５７Ｂは、トナーカートリッジ２００Ｙの先端部側に向かうに従い基体３３０の外周面から離れるように形成された斜面Ｂ１を有している。さらに第３退避部３５７Ｃも、トナーカートリッジ２００Ｙの先端部側に向かうに従い基体３３０の外周面から離れるように形成された斜面Ｃ１を有している。なお図１３では、本体部３００の内部も図示している。本体部３００の内部には、連結部材３０２から駆動力を受け回転駆動し内部のトナーをトナー排出口３０７（図１０参照）まで搬送する搬送部材３０５が設けられている。
【００４３】
次いで、図３にて示した収容部５００、トナー搬送部８００について説明する。
図１４は、収容部５００の斜視図である。
同図に示すように収容部５００は、樋状（断面がＵ字状）に形成されており上部が開放されている。より具体的に説明すると、収容部５００は、２つの長辺を有しトナーカートリッジ２００Ｙの挿入方向に沿って延びる底部５３０と、底部５３０の一方の長辺から上方に向かって延びる第１側壁５１０と、底部５３０の他方の長辺から上方に向かって延びる第２側壁５２０とを有している。また収容部５００は、第１側壁５１０の上縁に、トナーカートリッジ２００Ｙに形成された一方の回転規制部３４０（図５参照）が挿入されるとともにこの回転規制部３４０を案内する第１ガイド５４０を備えている。また、収容部５００は、第２側壁５２０の上縁に、トナーカートリッジ２００Ｙに形成された他方の回転規制部３４０（図５参照）が挿入されるとともにこの回転規制部３４０を案内する第２ガイド５５０を有している。
【００４４】
また収容部５００は、第２側壁５２０の内側の面に、トナーカートリッジ２００Ｙの挿入方向に進むに従い底部５３０に接近する斜面５６１を有したＶ字状の突起５６０を備えている。なお図示は省略するが、この突起５６０は第１側壁５１０の内側の面にも設けられている。さらに収容部５００は、第２側壁５２０に貫通して設けられた長穴５６５を２つ有している。ここでこの２つの長穴５６５は、トナーカートリッジ２００Ｙの挿入方向において収容部５００の奥側に設けられている。また図示は省略するが、この２つの長穴５６５は第１側壁５１０にも設けられている。
【００４５】
ここで底部５３０には、高さ方向にずらされて配置された３つの平坦面が設けられている。詳細に説明すると底部５３０には、トナーカートリッジ２００Ｙの挿入が開始される入口部側に第１平坦面５３１が設けられている。またこの第１平坦面５３１よりも奥側には、第１平坦面５３１よりも低い箇所に位置する第２平坦面５３２が設けられている。さらに第２平坦面５３２よりも奥側には、第１平坦面５３１および第２平坦面５３２よりも高い位置に配置された第３平坦面５３３が設けられている。また、高さ方向に沿って設けられ第１平坦面５３１と第２平坦面５３２とを接続する第１接続面５３４、同じく高さ方向に沿って設けられ第２平坦面５３２と第３平坦面５３３とを接続する第２接続面５３５が設けられている。
【００４６】
また収容部５００には、弾性片５７１Ａを介して第１平坦面５３１に接続され且つ第１平坦面５３１からトナーカートリッジ２００Ｙ（第１シャッタ３１０）の移動経路上に突出した第１突起５７１が設けられている。また、弾性片５７２Ａを介して第３平坦面５３３に接続され第３平坦面５３３からトナーカートリッジ２００Ｙの移動経路上に突出した第２突起５７２が設けられている。なお第１突起５７１は、弾性片５７１Ａが撓むことによりトナーカートリッジ２００Ｙの移動経路上から退避可能であり、第２突起５７２も、弾性片５７２Ａが撓むことによりトナーカートリッジ２００Ｙの移動経路上から退避可能である。
【００４７】
さらに本実施形態では、第２接続面５３５の上方且つ第３平坦面５３３と第２側壁５２０とが接続する箇所に、規制用突起５７３が設けられている。この規制用突起５７３は、トナーカートリッジ２００Ｙの先端と後端が逆転した状態でトナーカートリッジ２００Ｙが挿入されてきた場合に、操作部２００（図４参照）に接触し、規制用突起５７３が設けられた箇所よりも奥側へのトナーカートリッジ２００Ｙの移動を規制する。また収容部５００は、上記トナー排出口３０７（図１０参照）から排出されてきたトナーをトナー搬送部８００（図３参照）に排出するための本体側排出口５７５を有している。
【００４８】
収容部５００について更に説明する。
図１５は、収容部５００のうち第３平坦面５３３の周辺を示した図である。上記では説明を省略したが、収容部５００には、第２突起５７２よりも先方且つ第３平坦面５３３の上方に、トナーカートリッジ２００Ｙの挿入方向および引き抜き方向に沿ってスライド可能なスライド部材５８０が設けられている。また収容部５００には、スライド部材５８０に取り付けられトナーカートリッジ２００Ｙの挿入方向および引き抜き方向に沿ってスライド可能な本体側シャッタ５９０が設けられている。
【００４９】
図１６は、図１５のＸＶＩ−ＸＶＩ線における断面図である。図１５および本図を用いてスライド部材５８０についてまず説明する。なお図１６では本体側シャッタ５９０の図示を省略している。
図１６に示すように、スライド部材５８０は、上面視にて矩形状に形成された底板５８１と、底板５８１の一方の長辺側に配置され且つ上方に向かって延びる側部５８２と、側部５８２に接続されるとともに底板５８１に対向配置される対向部５８３とを備える。またスライド部材５８０は、底板５８１と対向部５８３との間に間隙５８４を有している。なお、図１６では図示を省略しているが、底板５８１の他方の長辺側にも、側部５８２、対向部５８３、および間隙５８４が設けられている。
【００５０】
またスライド部材５８０は、図１５にも示すように、底板５８１の一方の長辺側に、第１側壁５１０と対向配置された対向片５８５を２つ有している。そして各々の対向片５８５には、図１６に示すように第１側壁５１０に向かって突出する突起５８５Ａが設けられている。この突起５８５Ａは、収容部５００に設けられた長穴５６５（図１４参照）に挿入される。なお図示は省略するが、２つの対向片５８５は底板５８１の他方の長辺側にも設けられている。またスライド部材５８０は、図１６に示すように、本体側排出口５７５（図１４参照）に対向配置されトナーカートリッジ２００Ｙから排出されるトナーを通過させる通過孔５８６を底板５８１に備えている。
【００５１】
またスライド部材５８０には、底板５８１に形成された複数の面のうち第３平坦面５３３（図１５参照）と対向する面に、シール部材５８７が貼付されている（図１６参照）。このシール部材５８７は、弾性を有しており厚み方向に圧縮可能である。ここでシール部材５８７は、例えばウレタンゴムや発泡ポリウレタンなどにより形成することができる。なおシール部材５８７には、通過孔５８６を通過してきたトナーを通過させる通過孔５８７Ａが形成されている。更にスライド部材５８０は、対向部５８３に設けられた複数の面のうち底板５８１と対向する面に且つトナーカートリッジ２００Ｙの挿入方向における上流側に、トナーカートリッジ２００Ｙの挿入方向下流側に向かうに従い底板５８１に接近する斜面５８３Ａを有している。さらにスライド部材５８０の対向部５８３には、切り欠き５８３Ｂが形成されている（図１５も参照）。
【００５２】
一方、本体側シャッタ５９０は、図１５に示すように、スライド部材５８０の上記間隙５８４内に収められトナーカートリッジ２００Ｙの挿入方向および引き抜き方向にスライド可能なシャッタ本体５９３、２つ設けられた上記対向部５８３のうちの一方の対向部５８３に接近する方向および離れる方向に揺動可能な第１揺動片５９１を有している。また、２つ設けられた上記対向部５８３のうちの他方の対向部５８３に接近する方向および離れる方向に揺動可能な第２揺動片５９２を備えている。なお、第１揺動片５９１および第２揺動片５９２はシャッタ本体５９３の上面に固定されている。
【００５３】
また本体側シャッタ５９０は、第１揺動片５９１のうちの第２揺動片５９２と対向する部位に第１突起５９４Ａを有し、第２揺動片５９２のうちの第１突起５９４Ａと対向する部位に第２突起５９４Ｂを有している。さらに本体側シャッタ５９０は、一方の対向部５８３に形成された切り欠き５８３Ｂに対向したときにこの切り欠き５８３Ｂ内に入り込む第３突起５９４Ｃ、他方の対向部５８３に形成された切り欠き５８３Ｂに対向したときにこの切り欠き５８３Ｂ内に入り込む第４突起５９４Ｄを有している。
【００５４】
図１７は、図１４のＸＶＩＩ−ＸＶＩＩ線における断面図である。本図を用い収容部５００についてさらに説明する。なお本図では、スライド部材５８０、本体側シャッタ５９０なども図示している。
同図に示すように、第１突起５７１および第２突起５７２の各々は、その断面形状が三角形となっている。より詳細に説明すると、移動部、突出部の一例としての第１突起５７１は、トナーカートリッジ２００Ｙの挿入方向（引き抜き方向）と直交する関係（交差する関係）で配置され第１シャッタ３１０（図１０参照）の後退を規制する規制面５７１Ｅを備えている。また、規制面５７１Ｅに接続して設けられトナーカートリッジ２００Ｙの引き抜き方向に進むに従い上方（第１平坦面５３１から離れる方向）に向かう第１斜面５７１Ｆと、この第１斜面５７１Ｆに接続して設けられトナーカートリッジ２００Ｙの引き抜き方向に進むに従い下方（第１平坦面５３１に接近する方向）に向かう第２斜面５７１Ｇとを備えている。
【００５５】
また第２突起５７２は、トナーカートリッジ２００Ｙの挿入方向（引き抜き方向）と直交する関係（交差する関係）で配置され第２シャッタ３２０（図１０参照）の後退を規制する規制面５７２Ｅを備えている。また、規制面５７２Ｅに接続して設けられトナーカートリッジ２００Ｙの引き抜き方向に進むに従い上方（第３平坦面５３３から離れる方向）に向かう第１斜面５７２Ｆと、この第１斜面５７２Ｆに接続して設けられトナーカートリッジ２００Ｙの引き抜き方向に進むに従い下方（第３平坦面５３３に接近する方向）に向かう第２斜面５７２Ｇとを備えている。
【００５６】
なお図１７では、トナー搬送部８００の図示も行っている。トナー搬送部８００は、トナーカートリッジ２００Ｙに設けられた連結部材３０２（図５（Ａ）参照）が連結されこの連結部材３０２を回転駆動させる被連結部材８１０、この被連結部材８１０を回転駆動させるモータ（不図示）、トナーの搬送路を形成する筒状部材８２０、筒状部材８２０に収容されトナーの搬送を行う搬送部材８３０を備えている。
【００５７】
次にトナーカートリッジ２００Ｙが挿入される際および引き抜かれる際の各部の動作について説明する。
図１８は、トナーカートリッジ２００Ｙの挿入が開始された直後の各部の状態を示した図である。トナーカートリッジ２００Ｙが画像形成装置１に挿入された場合、まず第１シャッタ３１０が第１平坦面５３１の上方を通過する。この際、第１突起５７１は、第２斜面５７１Ｇ（図１７参照）が第１シャッタ３１０により押圧されることで第１平坦面５３１の下面側に移動する。付言すると、第１突起５７１は、トナーカートリッジ２００Ｙの移動を妨げないようにトナーカートリッジ２００Ｙの移動経路から退避する。なお、トナーカートリッジ２００Ｙの挿入が行われる際には、トナーカートリッジ２００Ｙの回転規制部３４０（図５（Ａ）参照）が第１ガイド５４０および第２ガイド５５０（図１４参照）に挿入される。このため、トナーカートリッジ２００Ｙは、予め定められた経路に沿って移動する。
【００５８】
図１８の状態からトナーカートリッジ２００Ｙがさらに挿入されると、図１９（トナーカートリッジ２００Ｙの挿入途中における各部の状態を示した図）に示すように、第１シャッタ３１０が第１突起５７１を通過する。これにより第１突起５７１は、トナーカートリッジ２００Ｙの移動経路上に突出する。なおこの際、第１突起５７１はシャッタガイド部３５０に設けられた溝３５６（図１１参照）内に突出する。また第１シャッタ３１０が第１突起５７１を通過した後、第１シャッタ３１０の第４突起３１５Ｅが収容部５００側に設けられた突起５６０の斜面５６１に突き当たる。これにより第１シャッタ３１０の進行が規制される。また第４突起３１５Ｅが斜面５６１により上方から押圧され、図７を用いて説明したように、規制用突起３０３に対する第４突起３１５Ｅの突き当たりが解除される。
【００５９】
その後、上縁部３２１（図７参照）と第３突起３１５Ｃ（図６参照）との突き当たりが解除され、上記にて説明したように、第１シャッタ３１０は先端部側が垂れ下がった状態となる。そしてこの第１シャッタ３１０は、図１９に示すように、第２平坦面５３２の上方に収納された状態となる。また図１８の状態からトナーカートリッジ２００Ｙが更に進行すると、第２突起５７２の第２斜面５７２Ｇ（図１７参照）が第２シャッタ３２０により押圧され、第２突起５７２も、図１９に示すようにトナーカートリッジ２００Ｙの移動経路上から一時的に退避する。そしてトナーカートリッジ２００Ｙの挿入が完了すると、図２０（トナーカートリッジ２００Ｙの挿入が完了した後の各部の状態を示す図）に示すように、第２突起５７２はトナーカートリッジ２００Ｙの移動経路上に再び突出する。なおこの場合も、上記と同様、第２突起５７２は溝３５６（図１１も参照）内に突出する。
【００６０】
またトナーカートリッジ２００Ｙの挿入が行われる際には、トナーカートリッジ２００Ｙの先端部に設けられた突起３３２（図１２、図１３参照）が、本体側シャッタ５９０（図１５参照）に設けられた第１突起５９４Ａと第２突起５９４Ｂとの間を通過する。これにより、突起３３２が第１揺動片５９１および第２揺動片５９２により囲まれる領域内に収容される状態となる。また本実施形態では、トナーカートリッジ２００Ｙの進行に伴い、スライド部材５８０に形成された上記間隙５８４（図１６参照）の内部に、トナーカートリッジ２００Ｙに設けられた第１突起３５３（図９参照）、第２突起３５４、およびシール部材３０４が進入する。なおこの際、シール部材３０４が厚み方向に圧縮される。そして第１突起３５３、第２突起３５４、およびシール部材３０４が間隙５８４の内部に進入すると、これらの部材によりシャッタ本体５９３（図１５参照）の端面が押圧され、本体側シャッタ５９０が前方へ移動するようになる。これにより本体側排出口５７５（図１４参照）が開放される。
【００６１】
またシャッタ本体５９３の端面が押圧され本体側シャッタ５９０が前方へ移動すると、切り欠き５８３Ｂ（図１５参照）内に位置していた第３突起５９４Ｃおよび第４突起５９４Ｄが対向部５８３（図１６参照）により押圧されるようになる。この結果、第１揺動片５９１および第２揺動片５９２が弾性変形するとともに第１突起５９４Ａと第２突起５９４Ｂとが接近する。そして第１突起５９４Ａと第２突起５９４Ｂとが接近すると、トナーカートリッジ２００Ｙが引き抜かれる際に、これらの突起に対しトナーカートリッジ２００Ｙの上記突起３３２が突き当たるようになる。この結果、トナーカートリッジ２００Ｙが引き抜かれる際、本体側シャッタ５９０が閉じられるようになる。
【００６２】
また本実施形態では、第２シャッタ３２０の移動経路上にスライド部材５８０（図１６参照）の底板５８１が位置している。このため、トナーカートリッジ２００Ｙの挿入に伴い移動してきた第２シャッタ３２０は、第２突起５７２（図１５参照）を通過した後、スライド部材５８０に突き当たりその移動が規制される。このため本実施形態では、トナーカートリッジ２００Ｙの挿入が完了すると、スライド部材５８０と第２突起５７２との間に第２シャッタ３２０が収納された状態となる。即ち、図１５の破線で示す箇所に第２シャッタ３２０が収納された状態となる。
【００６３】
次いで、トナーカートリッジ２００Ｙが引き抜かれる際の各部の動作について説明する。図２０に示した状態からトナーカートリッジ２００Ｙの引き抜きが開始された場合、本体部３００の移動（後退）がまず開始される。この際、突起３３２（図１２、図１３参照）が本体側シャッタ５９０の第１突起５９４Ａと第２突起５９４Ｂに突き当たり、本体側シャッタ５９０が本体部３００と共に移動する。これにより、スライド部材５８０の通過孔５８６（図１６参照）が閉鎖される。なおスライド部材５８０の通過孔５８６が閉鎖された後、本体側シャッタ５９０の更なる移動に伴い第３突起５９４Ｃおよび第４突起５９４Ｄが切り欠き５８３Ｂ（図１５参照）まで到達する。これにより、第１突起５９４Ａと第２突起５９４Ｂとの間隙が拡がり、第１突起５９４Ａと第２突起５９４Ｂとの間を突起３３２が通過可能となる。
【００６４】
また、トナーカートリッジ２００Ｙの引き抜きが開始された直後は、第２突起５７２（図１７参照）の規制面５７２Ｅに対して第２シャッタ３２０の端部が突き当たっており、第２シャッタ３２０の移動が規制されている。このため、トナーカートリッジ２００Ｙの引き抜き動作に伴いトナー排出口３０７（図１０参照）が第２シャッタ３２０に接近し、このトナー排出口３０７が第２シャッタ３２０により閉鎖される。そして本実施形態では、トナー排出口３０７が第２シャッタ３２０により閉鎖された後、第３退避部３５７Ｃ（図１３、図２０参照）が第２突起５７２の第１斜面５７２Ｆ（図１７参照）に接触する。これにより、第２シャッタ３２０の移動経路上から第２突起５７２が退避し、第２シャッタ３２０が第２突起５７２を通過する。
【００６５】
図２１（第２突起５７２等の動作を説明するための図）を参照して、第２突起５７２等の動作をより具体的に説明すると、同図（Ａ）に示すように、トナーカートリッジ２００Ｙ側に設けられた第３退避部３５７Ｃの斜面Ｃ１が第２突起５７２の第１斜面５７２Ｆに接触する。これにより、第２突起５７２は図中矢印に示す方向に移動する。その後、第２シャッタ３２０の図中左端部が第１斜面５７２Ｆをさらに押圧し、第２突起５７２は図中矢印に示す方向にさらに移動する。これにより第２シャッタ３２０の移動経路上から第２突起５７２が退避し、第２シャッタ３２０が第２突起５７２を通過する。
【００６６】
またトナーカートリッジ２００Ｙの引き抜きが行われている際には、第１シャッタ３１０の後退も規制される。より具体的には、トナーカートリッジ２００Ｙの引き抜きが行われている際、第１突起５７１の規制面５７１Ｅ（図１７参照）に対して第１シャッタ３１０の端部が突き当たる。これにより第１シャッタ３１０は後退が規制される。これにより、本体部３００に対し第１シャッタ３１０が相対的に移動するようになる。なお、後退が規制されている際、第１シャッタ３１０は第２平坦面５３２（図１４参照）の上部に留まる状態となる。
【００６７】
ここで、後退が規制された第１シャッタ３１０に対して第２シャッタ３２０が接近してくると、第２シャッタ３２０の形成された斜面３２６（図８参照）に第１シャッタ３１０の第３突起３１５Ｃ（図６参照）が乗り上げるようになる。これにより、第１シャッタ３１０の先端部がトナーカートリッジ２００Ｙの基体３３０の外周面に接近する。その後、規制用突起３０３（図７参照）よりも前方に第４突起３１５Ｅ（図７参照）が位置するようになり、基体３３０に対して第１シャッタ３１０が固定される。そして本実施形態では、規制用突起３０３よりも前方に第４突起３１５Ｅが位置した後、即ち、基体３３０に対して第１シャッタ３１０が固定された後、第２退避部３５７Ｂ（図１１、図１３参照）が第１突起５７１の第１斜面５７１Ｆ（図１７参照）を押圧する。これにより、第１突起５７１が第１シャッタ３１０の移動経路上から退避する。そして第１シャッタ３１０が第１突起５７１を通過し、トナーカートリッジ２００Ｙの引き抜きが完了する。
【００６８】
図２１を参照して、第１突起５７１等の動作をより具体的に説明すると、同図（Ｂ）に示すように、トナーカートリッジ２００Ｙの引き抜き動作に伴い、トナーカートリッジ２００Ｙに設けられた第２退避部３５７Ｂの斜面Ｂ１が第１突起５７１の第１斜面５７１Ｆに接触する。これにより、第１突起５７１は図中矢印に示す方向に移動する。その後、第１シャッタ３１０の図中左端部が第１斜面５７１Ｆを押圧し、第１突起５７１は図中矢印に示す方向にさらに移動する。これにより第１シャッタ３１０の移動経路上から第１突起５７１が退避し、第１シャッタ３１０が第１突起５７１を通過する。
【００６９】
ところで本実施形態では、図５を用いて説明したとおり、操作部２００の外径形状が本体部３００の外径形状に倣うように操作部２００および本体部３００は形成されている。このため本実施形態では、先端と後端とが逆転した状態でトナーカートリッジ２００Ｙが画像形成装置１に挿入される自体が生じうる。即ち、操作部２００側が先頭となった状態で画像形成装置１にトナーカートリッジ２００Ｙが挿入される場合がある。そして本実施形態のように第１シャッタ３１０の後退を規制する第１突起５７１が設けられている場合、トナーカートリッジ２００Ｙが引き抜かれる際にこの第１突起５７１に対し操作部２００が突き当たり、第１突起５７１等の破損などを招くおそれがある。付言すると、本実施形態では、第１シャッタ３１０の移動経路上を操作部２００（第１突出部２１０）が移動する構成となっており、トナーカートリッジ２００Ｙが引き抜かれる際に第１突起５７１に対し操作部２００が突き当たるようになってしまう。
【００７０】
図２２は、操作部２００が先頭となって挿入されたトナーカートリッジ２００Ｙが引き抜かれる際の状態を示した図である。本実施形態のトナーカートリッジ２００Ｙでは、シャッタガイド部３５０に溝３５６（図１１参照）が設けられている。そして、トナーカートリッジ２００Ｙが画像形成装置１に挿入された際、この溝３５６内に第１突起５７１が突出する。そして、操作部２００が先頭となって挿入されたトナーカートリッジ２００Ｙが引き抜かれる際には、図２２に示すように、操作部２００（第１突出部２１０）の縁部に対し第１突起５７１が突き当たるようになる。付言すると、トナーカートリッジ２００Ｙの引き抜き方向と直交する方向に沿って設けられた規制面５７１Ｅに対して操作部２００の縁部が突き当たる。そしてこの場合、第１突起５７１がトナーカートリッジ２００Ｙ（操作部２００）の移動経路上から退避することができず、第１突起５７１が破損したりするおそれがある。
【００７１】
このため本実施形態のトナーカートリッジ２００Ｙには、図１１に示したように第１退避部３５７Ａを設けている。なお第１退避部３５７Ａは、上記のとおり、薄板状（リブ状）の突起が複数設けられ且つこれらの突起が互いに平行に設けられることにより形成されている。また第１退避部３５７Ａは、上記のとおりトナーカートリッジ２００Ｙのうち操作部２００が設けられた側に設けられている。またトナーカートリッジ２００Ｙを底部側から眺めた場合に、第１退避部３５７Ａは操作部２００に隣接した状態で配置されている。さらに第１退避部３５７Ａは、図１３に示したようにトナーカートリッジ２００Ｙの後端部側（操作部２００が設けられている側）に向かうに従い基体３３０の外周面から離れるように形成された斜面Ａ１を有している。
【００７２】
ここで図２３は、本実施形態におけるトナーカートリッジ２００Ｙが引き抜かれる際の状態を示した図である。本実施形態におけるトナーカートリッジ２００Ｙには、上記のとおり第１退避部３５７Ａが設けられ、且つ、この第１退避部３５７Ａには斜面Ａ１が形成されている。ここでトナーカートリッジ２００Ｙが引き抜かれる際には、この第１退避部３５７Ａが操作部２００（第１突出部２１０）の移動経路上を移動する。そして第１突起５７１が、第１退避部３５７Ａにより押圧されトナーカートリッジ２００Ｙ（操作部２００）の移動経路上から退避するようになる。これにより、操作部２００の縁部と第１突起５７１の規制面５７１Ｅとの突き当たりが回避される。
【００７３】
なお本実施形態では、第１退避部３５７Ａがトナーカートリッジ２００Ｙの基体３３０と一体に形成されているが、第１退避部３５７Ａは操作部２００と一体で形成することもできる。また本実施形態では、第１退避部３５７Ａを直角三角形状に形成したがドーム状など曲面を有する突起などにより形成することができる。さらに本実施形態における斜面Ａ１は、側面視にて平坦であるが曲率を持たせて形成することもできる。
【符号の説明】
【００７４】
１…画像形成装置、２００…操作部、２００Ｙ，２００Ｍ，２００Ｃ，２００Ｋ…トナーカートリッジ、２１０…第１突出部、３００…本体部、３１０…第１シャッタ、３５６…溝、３５７Ａ…第１退避部、５７１…第１突起、Ａ１…斜面
【図１】
0005515668.tif 000002
【図２】
0005515668.tif 000003
【図３】
0005515668.tif 000004
【図４】
0005515668.tif 000005
【図５】
0005515668.tif 000006
【図６】
0005515668.tif 000007
【図７】
0005515668.tif 000008
【図８】
0005515668.tif 000009
【図９】
0005515668.tif 000010
【図１０】
0005515668.tif 000011
【図１１】
0005515668.tif 000012
【図１２】
0005515668.tif 000013
【図１３】
0005515668.tif 000014
【図１４】
0005515668.tif 000015
【図１５】
0005515668.tif 000016
【図１６】
0005515668.tif 000017
【図１７】
0005515668.tif 000018
【図１８】
0005515668.tif 000019
【図１９】
0005515668.tif 000020
【図２０】
0005515668.tif 000021
【図２１】
0005515668.tif 000022
【図２２】
0005515668.tif 000023
【図２３】
0005515668.tif 000024